(57)【要約】【課題】  利用者による指示操作に対して書き換えが開始されるまでの時間を短くすること。【解決手段】  利用者が外部入力装置４（タッチパッド１２）に触れたときに、システム部分２への電力の供給を開始するようにした。そのため、システム部分２（ＣＰＵ６、内部記憶装置７、外部記憶装置８）を情報の表示を開始可能な状態にまで予め復帰させておくことができ、情報の表示を指示する外部入力装置４（タクトスイッチ１３）の押圧操作がされたときに、当該情報を表示させる処理を直ぐに開始することができ、利用者による指示操作に対して書き換えが開始されるまでの時間を短くすることができる。【選択図】  図１
2006235444.tif 000002
【特許請求の範囲】
【請求項１】
所定情報の表示を指示する指示操作が検出されると、記憶性表示体に前記所定情報を表示させ、さらに、表示処理を行う回路への電力の供給を停止する情報表示装置であって、
前記指示操作にいたる蓋然性の高い特定動作を検出する特定動作検出手段と、その特定動作が検出されると前記回路への電力の供給を再開する電力供給再開手段とを備えたことを特徴とする情報表示装置。
【請求項２】
前記電力供給再開手段は、前記特定動作が検出されると、電力の供給が停止された状態から前記所定情報の表示を開始可能な状態に復帰するまでに要する時間がより長い第１の回路に電力の供給を再開し、さらに、前記指示操作が検出されると、前記時間がより短い第２の回路への電力の供給を再開することを特徴とする請求項１に記載の情報表示装置。
【請求項３】
前記電力供給再開手段は、前記第１の回路への電力の供給が再開された後、前記指示操作及び前記特定動作のいずれも所定時間以上検出されなかった場合には、前記第１の回路への電力の供給を停止することを特徴とする請求項２に記載の情報表示装置。
【請求項４】
前記所定情報の表示が完了すると、前記第２の回路への電力の供給を停止し、その停止から一定時間が経過すると、前記第１の回路への電力の供給を停止する電力供給停止手段を備えたことを特徴とする請求項１から３のいずれか１項に記載の情報表示装置。
【請求項５】
前記特定動作検出手段は、前記指示操作の前段階の接触を前記特定動作として検出することを特徴とする請求項１から４のいずれか１項に記載の情報表示装置。
【請求項６】
所定の操作部が押下操作されると前記指示操作を検出する押下スイッチを備え、前記特定動作検出手段は、前記操作部への接触を前記特定動作として検出することを特徴とする請求項５に記載の情報表示装置。
【請求項７】
自装置に衝撃が与えられたことを検出する衝撃センサを備え、前記特定動作検出手段は、前記衝撃センサの検出結果に基づいて前記特定動作を検出することを特徴とする請求項１から４のいずれか１項に記載の情報表示装置。
【請求項８】
自装置の周囲における人間の存在を検出する人感センサを備え、前記特定動作検出手段は、前記人感センサの検出結果に基づいて前記特定動作を検出することを特徴とする請求項１から４のいずれか１項に記載の情報表示装置。
【発明の詳細な説明】
【技術分野】
【０００１】
本発明は、電力の供給を停止しても表示状態を維持可能な記憶性表示体に所定情報を表示させる情報表示装置に関する。
【背景技術】
【０００２】
従来、この種の技術としては、例えば、コンテンツの任意のページの表示を指示する指示操作が検出されると、コレステリック液晶や、ツイストネマティック液晶等の記憶性表示体に当該ページを表示させて、利用者に各ページを閲覧させる情報表示装置がある。
ところで、このような情報表示装置、つまり、記憶性表示体に情報を表示させる情報表示装置）にあっては、消費電力を低減するために、通常時は、表示体制御装置やドライバ等の各回路への電力の供給を停止しておき、利用者による指示操作が検出されたときにのみ、当該各回路への電力の供給を開始するように構成することも考えられる。また、情報表示装置の各回路は、一般に、電力の供給が開始されると、内部システムを起動して初期化し、外部記憶装置からデータを読み出して内部記憶装置に書き込むようになっている。
【０００３】
また、電力の供給が開始されてからの内部システムの起動等に時間がかかる場合に、２つの制御部で並列に起動を行うことで起動時間を短縮するものがある（特許文献１）。
【特許文献１】特開２０００−２０９４８５号公報
【発明の開示】
【発明が解決しようとする課題】
【０００４】
しかしながら、上記従来の技術のうち前者のものにあっては、利用者による指示操作が検出されると、内部システムの起動等を行ってから、表示状態の書き換えを開始するため、利用者が指示操作をした時点から表示状態の書き換えが開始される時点まで（利用者が認識できる反応があるまで）に数秒かかり、利用者に違和感を与えてしまう恐れがある。
また、後者のものにあっては、前記書き換えが開始されるまでの時間を短くすることができるものの、制御部が２つであるために、消費電力が増大してしまう恐れがあった。
【０００５】
本発明は、上記従来技術の未解決の問題点を解決することを目的とするものであって、利用者による指示操作に対して書き換えが開始されるまでの時間を短くすることができる情報表示装置を提供することを課題とする。
【課題を解決するための手段】
【０００６】
上記課題を解決するために、本発明の情報表示装置は、所定情報の表示を指示する指示操作が検出されると、記憶性表示体に前記所定情報を表示させ、さらに、表示処理を行う回路への電力の供給を停止する情報表示装置であって、前記指示操作にいたる蓋然性の高い特定動作を検出する特定動作検出手段と、その特定動作が検出されると前記回路への電力の供給を再開する電力供給再開手段とを備えたことを特徴とする。例えば、指示操作の検出手段は、利用者に入力を意識させない装置とし、特定動作の検出装置は、利用者に入力を意識させる装置（クリック感がある等）としてもよい。
【０００７】
このような構成によれば、利用者が指示操作に先だつ特定動作を行ったときに、情報の表示に用いられる回路への電力の供給を開始させることができる。そのため、電力の供給が開始された回路を前記情報の表示を開始可能な状態にまで予め復帰させておくことで、所定情報の表示を指示する指示操作が行われたときに、所定情報を表示させる処理を直ぐに開始することができ、復帰に要する時間を利用者に感じさせることがなく、利用者による指示操作に対して書き換えが開始されるまでの時間を短くすることができる。
【０００８】
また、前記電力供給再開手段は、前記特定動作が検出されると、電力の供給が停止された状態から前記所定情報の表示を開始可能な状態に復帰するまでに要する時間がより長い第１の回路に電力の供給を再開し、さらに、前記指示操作が検出されると、前記時間がより短い第２の回路への電力の供給を再開するようにしてもよい。なお、第１の回路としては、システムのＣＰＵや制御回路等を挙げることができ、第２の回路としては、記憶性表示体のドライバや制御回路等を挙げることができる。
【０００９】
このような構成によれば、情報表示装置の消費電力を小さくしつつ、所定情報の表示が可能な状態までの復帰にかかる復帰時間による待ち時間を小さくすることができる。
また、前記電力供給再開手段は、前記第１の回路への電力の供給が再開された後、前記指示操作及び前記特定動作のいずれも所定時間以上検出されなかった場合には、前記第１の回路への電力の供給を停止するようにしてもよい。
【００１０】
さらに、前記電力供給再開手段は、前記所定情報の表示が完了すると、前記第２の回路への電力の供給を停止し、その停止から一定時間が経過すると、前記第１の回路への電力の供給を停止する電力供給停止手段を備えるようにしてもよい。
このような構成によれば、表示状態が書き換えられた後も、第１の回路への電力の供給を一定時間継続することができ、利用者が連続して指示操作を行った場合に、第１の回路の復帰させる動作を省略し、情報を表示させる処理を直ぐに開始することができる。
【００１１】
また、前記特定動作検出手段は、前記指示操作の前段階の接触を前記特定動作として検出するようにしてもよい。なお、操作部に触れたことを検出するための方法としては、タッチパッドを用いる方法を挙げることができ、例えば、人体の静電気を検出する静電容量方式タッチパッド、一定領域上に照射した赤外線の遮断を感知する光学式タッチパッド、表面の電極と背面の電極間に微小なスペーサを挟み込み、タッチされたときに、上部と背面の電極が接触して流れる電気を検知する抵抗膜式タッチパッド等が挙げられる。
【００１２】
さらに、押下操作されると前記指示操作を検出する押下スイッチを備え、前記特定動作検出手段は、前記押下スイッチへの接触を前記特定動作として検出してもよい。
このような構成によれば、表示情報を閲覧しつつ、その閲覧後に引き続く情報を表示させるための指示操作を行えるように操作部に触れたときに、電力の供給を開始し、前記引き続く情報の表示を開始可能な状態にまで回路を予め復帰させておくことができる。
【００１３】
また、自装置に衝撃が与えられたことを検出する衝撃センサを備え、前記特定動作検出手段は、前記衝撃センサの検出結果に基づいて前記特定動作を検出するようにしてもよい。なお、衝撃が与えられたことを検出する方法としては、衝撃が与えられたときにその大きさに比例した電圧を圧電素子によって発生するショックセンサが挙げられる。
このような構成によれば、例えば、所望の情報を表示させるための指示操作を行うために、机の上に載置されていた情報表示装置を手に取ったときに、電力の供給を開始し、前記所望の情報の表示を開始可能な状態にまで回路を予め復帰させておくことができる。
【００１４】
さらに、自装置の周囲における人間の存在を検出する人感センサを備え、前記特定動作検出手段は、前記人感センサの検出結果に基づいて前記特定動作を検出するようにしてもよい。なお、周囲における人間の存在の検出方法としては、温度変化によって電荷を生じる焦電効果を利用した焦電型赤外線センサを用い、人体から放出される熱エネルギ（３６~７℃、９〜１０μｍにピークがある赤外線）を検出する方法を挙げることができる。
【００１５】
このような構成によれば、所望の情報を表示させるための指示操作を行うために、机の上に載置されていた情報表示装置に利用者が近づいたときに、電力の供給を開始し、前記所望の情報の表示を開始可能な状態にまで回路を予め復帰させておくことができる。
【発明を実施するための最良の形態】
【００１６】
以下、本発明に係る情報表示装置の実施形態を図面に基づいて説明する。
＜情報表示装置の構成＞
図１は、本発明を適用した情報表示装置１の内部構成を示すブロック図である。この情報表示装置１は、図１に示すように、システム部分２、表示体部分３、外部入力装置４、及びＣＰＬＤ(Complex Programmable Logic Device)５を含んで構成される。
【００１７】
システム部分２は、ＣＰＵ(Central Processing Unit)６、内部記憶装置７及び外部記憶装置８を含んで構成される。そして、システム部分２は、電力の供給が開始されると、外部記憶装置６に格納された基本制御プログラムやアプリケーションプログラム等の各種プログラム及びデータをＣＰＵ６で読み込み、それら各種プログラム及びデータを内部記憶装置７のワークエリアに展開して、各種処理を直ぐに実行できる状態とする。
【００１８】
また、システム部分２（ＣＰＵ６）は、ＣＰＬＤ５から表示体部分３（記憶性表示体７（後述））の表示状態の書き換え指令があると、その書き換え指令に応じてビットマップデータを生成し、その生成されたビットマップデータを内部記憶装置７に格納させる。
表示体部分３は、表示体制御装置９、ドライバ１０、及び記憶性表示体１１を含んで構成される。そして、表示体部分３は、電力の供給が開始されると、まず、内部記憶装置７に格納されているビットマップデータを表示体制御装置９で読み出し、その読み出されたビットマップデータを表示させる信号をドライバ１０に出力する。次いで、表示体部分３は、その出力された信号に基づいてドライバ１０で記憶性表示体１１の各画素に所定電圧を印可し、前記読み出されたビットマップデータを記憶性表示体１１に表示させる。
【００１９】
外部入力装置４は、図２に示すように、表面に静電容量式のタッチパッド１２が配された押しボタン式のタクトスイッチ１３を含んで構成される。そして、外部入力装置４は、利用者がタッチパッド１２に触れているか否かを検出し、タッチパッド１２に触れている場合にはその旨を示す信号（タッチパッド接触信号）をＣＰＬＤ５に出力する。また、外部入力装置４は、タクトスイッチ１３を押下操作しているか否かを判定し、押下操作している場合にはその旨を示す信号（タクトスイッチ押下信号）をＣＰＬＤ５に出力する。
【００２０】
ＣＰＬＤ５は、ＣＰＬＤ５の電力の供給が開始されるとシステム部分電力制御処理を実行し、利用者がタッチパッド１２に触れていることが検出されると、システム部分２の電力をＯＮ状態とし、触れていることが検出されなくなると当該電力を遮断状態とする。
また、ＣＰＬＤ５は、システム部分２への電力の供給が開始されると表示体部分電力制御処理を実行し、利用者がタクトスイッチ１３の押下操作が検出されると、表示体部分３の電力をＯＮ状態とし、表示状態が切り替えられると、当該電力を遮断状態とする。
【００２１】
＜情報表示装置の動作＞
図３は、ＣＰＬＤ５で実行されるシステム部分電力制御処理のフローチャートである。このシステム部分電力制御処理は、ＣＰＬＤ５（情報表示装置１）への電力の供給が開始されると実行される処理であって、まず、そのステップＳ１０１で、利用者が外部入力装置４（タッチパッド１２）に触れているか否かを判定する。具体的には、ＣＰＬＤ５に外部入力装置４からタッチパッド接触信号が出力されているか否かを判定する。そして、タッチパッド接触信号が出力されている場合には（Ｙｅｓ）ステップＳ１０２に移行し、タッチパッド接触信号が出力されていない場合には（Ｎｏ）この判定を繰り返し実行する。
【００２２】
前記ステップＳ１０２では、システム部分２（ＣＰＵ６、内部記憶装置７、外部記憶装置８）への電力の供給を開始する。
次にステップＳ１０３に移行して、利用者が外部入力装置４から手を離したか否かを判定する。具体的には、外部入力装置４からタッチパッド接触信号が出力されていないか否かを判定する。そして、タッチパッド接触信号が出力されていない場合には（Ｙｅｓ）ステップＳ１０４に移行し、タッチパッド接触信号が出力されている場合には（Ｎｏ）この判定を繰り返し実行する。
【００２３】
前記ステップＳ１０４では、タッチパッド接触信号出力されなくなってからの経過時間を計測するためのタイマをリセットし（カウント値を「０」とし）、そのリセットされたタイマによって当該経過時間の計測（カウント値のカウントアップ）を開始する。
次にステップＳ１０５に移行して、タッチパッド接触信号が出力されなくなってから一定時間（例えば、１sec.）が経過したか否かを判定する。具体的には、前記ステップＳ１０４で計測された経過時間が一定値時間以上であるか否かを判定する。そして、一定時間より大きい以上（カウント値が一定値以上）である場合には（Ｙｅｓ）ステップＳ１０６に移行し、一定時間以下である場合には（Ｎｏ）このステップを繰り返し実行する。
【００２４】
前記ステップＳ１０６では、利用者がタッチパッド１２に再び触れているか否かを判定する。具体的には、ＣＰＬＤ５に外部入力装置４からタッチパッド接触信号が出力されているか否かを判定する。そして、タッチパッド接触信号が出力されている場合には（Ｙｅｓ）前記ステップＳ１０４に移行し、タッチパッド接触信号が出力されていない場合には（Ｎｏ）ステップＳ１０７に移行する。
【００２５】
次にステップＳ１０７に移行して、表示体部分３への電力の供給が停止されているか否かを判定する。そして、電力の供給が停止されている場合には（Ｙｅｓ）ステップＳ１０８に移行し、電力が供給されている場合には（Ｎｏ）ステップＳ１０６に移行する。
前記ステップＳ１０８では、システム部分２への電力の供給を停止してから、前記ステップＳ１０１に移行する。つまり、この演算処理では、システム部分２への電力の供給が再開された後、外部入力装置４に触れること及び押下操作することのいずれも一定時間以上検出されなかった場合には、システム部分４への電力の供給を停止するようになっている。一方、前記システム部分２への電力供給が再開された後、外部入力装置４が押下操作され、表示状態が切り替えられ、表示体部分３への電力の供給が停止された後、一定時間が経過したときにも、システム部分２への電力の供給を停止するようになっている。
【００２６】
図４は、ＣＰＬＤ５で実行される表示体部分電力制御処理のフローチャートである。この表示体部分電力制御処理は、システム部分２への電力の供給が開始されると実行される処理であって、まず、そのステップＳ２０１で、利用者が外部入力装置４（タクトスイッチ１３）を押下操作したか否かを判定する。具体的には、外部入力装置４からタクトスイッチ押下信号が出力されているか否かを判定する。そして、タクトスイッチ押下信号が出力されている場合には（Ｙｅｓ）ステップＳ２０２に移行し、タクトスイッチ押下信号が出力されていない場合には（Ｎｏ）この判定を繰り返し実行する。
【００２７】
前記ステップＳ２０２では、それまで記憶性表示体１１に表示されていた情報に引き続く情報（例えば、複数ページからなるコンテンツを表示していた場合には、それまでのページの次ページ）を記憶性表示体１１に表示させる書き換え指令をＣＰＵ６に出力する。
次にステップＳ２０３に移行して、表示体部分３（表示体制御装置９、ドライバ１０、記憶性表示体１１）への電力の供給を開始する。
【００２８】
次にステップＳ２０４に移行して、前記ステップＳ２０２で出力された書き換え指令によって開始される記憶性表示体１１の表示状態の書き換えの処理が終了したか否かを判定する。そして、終了した場合には（Ｙｅｓ）ステップＳ２０５に移行し、終了していない場合には（Ｎｏ）このステップを繰り返し実行する。
前記ステップＳ２０５では、表示体部分３への電力の供給を停止してから、この演算処理を終了する。
【００２９】
＜情報表示装置の具体的動作＞
次に、本実施形態の情報表示装置１について動作を具体的状況に基づいて説明する。
まず、情報表示装置１の電源を利用者がＯＮ状態とし、所定の情報を記憶性表示体１１に表示させた後に、ＣＰＬＤ５への電力の供給が継続された状態で、システム部分２（ＣＰＵ６、内部記憶装置７、外部記憶装置８）と、表示体部分３（表示体制御装置９、ドライバ１０、記憶性表示体１１）とへの電力の供給が停止されたとする。その後、情報表示装置１に表示されている情報を閲覧しつつ、その閲覧後に引き続く情報を表示させるための操作（外部入力装置４（タクトスイッチ１３）の押圧操作）を行えるように、外部入力装置４の上面（タッチパッド１２）に指を移動させて触れたとする。すると、外部入力装置４からタッチパッド接触信号がＣＰＬＤ５に出力され、また、ＣＰＬＤ５によって、システム部分電力制御処理が実行されると、図３に示すように、まずそのステップＳ１０１の判定が「Ｙｅｓ」となり、ステップＳ１０２で、システム部分２への電力の供給が再開される。そして、システム部分２によって、外部記憶装置６に格納された基本制御プログラムやアプリケーションプログラム等の各種プログラム及びデータがＣＰＵ６で読み込まれ、それら読み込まれた各種プログラム及びデータが内部記憶装置７のワークエリアに展開されて、各種処理を直ぐに実行できる状態（初期動作を終了させた状態）とされる。
【００３０】
また、システム部分２への電力の供給が再開されると、ＣＰＬＤ５によって、表示体部分電力制御処理も実行され、タクトスイッチ押下信号が出力されていないため、図４に示すように、そのステップＳ２０１の判定が「Ｎｏ」となり、この判定が繰り返えされる。
ここで、情報表示装置１に表示されている情報を閲覧し終えた利用者が、前記引き続く情報を表示させるために、外部入力装置４（タクトスイッチ１３）を押圧操作したとする。すると、前記ステップＳ２０１の判定が「Ｙｅｓ」となり、ステップＳ２０２で、前記引き続く情報を記憶性表示体１１に表示させる書き換え指令がＣＰＵ６に出力される。そして、ＣＰＵ６によって、その出力された書き換え指令に応じ、前記引き続く情報のビットマップデータが生成され、そのビットマップデータが内部記憶装置７に格納される。
【００３１】
さらにステップＳ２０３で、表示体部分３への電力の供給を開始される。すると、表示体部分３によって、まず、前記格納されたビットマップデータが表示体制御装置９に読み出され、そのビットマップデータを表示させる信号がドライバ１０に出力される。次いで、その出力された信号に基づいてドライバ１０で記憶性表示体１１の各画素に所定電圧が印可され、前記読み出されたビットマップデータが記憶性表示体１１に表示される。
【００３２】
また、記憶性表示体１１の書き換えの処理が終了すると、ステップＳ２０４の判定が「Ｙｅｓ」となり、ステップＳ２０５で、表示体部分３への電力の供給が停止される。
このように、本実施形態の情報表示装置１にあっては、利用者が外部入力装置４（タッチパッド１２）に触れたときに、システム部分２への電力の供給を開始するようにした。そのため、システム部分２（ＣＰＵ６、内部記憶装置７、外部記憶装置８）を情報の表示を開始可能な状態にまで予め復帰させておくことができ、情報の表示を指示する外部入力装置４（タクトスイッチ１３）の押圧操作がされたときに、当該情報を表示させる処理を直ぐに開始することができ、復帰に要する時間を利用者に感じさせることがなく、利用者による指示操作に対して書き換えが開始されるまでの時間を短くすることができる。
【００３３】
また、外部入力装置４に触れたことが検出されると、システム部分２に電力の供給を再開し、さらに、外部入力装置４が押し下げられたことが検出されると、表示体部分３への電力の供給を再開するようにした。そのため、消費電力を小さくしつつ、所定情報の表示が可能な状態までの復帰にかかる復帰時間による待ち時間を小さくすることができる。
また、システム部分２への電力の供給が再開された後、外部入力装置４に触れたこと及び押し下げたことのいずれも一定時間以上検出されなかった場合には、システム部分２への電力の供給を電力の供給を停止するようにした。また、情報の表示が完了すると、表示体部分３への電力の供給を停止し、その停止から一定時間が経過すると、システム部分２への電力の供給を停止するようにした。そのため、表示状態が書き換えられた後も、システム部分２への電力の供給を一定時間継続することができ、利用者が連続して外部入力装置４の押下を行った場合に、情報を表示させる処理を直ぐに開始することができる。
【００３４】
また、外部入力装置４に触れたことが検出されると、システム部分２への電力の供給を停止するようにした。そのため、表示情報を閲覧しつつ、その閲覧後に引き続く情報を表示させるように外部入力装置４に触れたときに、電力の供給を開始し、前記引き続く情報の表示を開始可能な状態にまでシステム部分２を予め復帰させておくことができる。
以上、上記実施形態では、図１及び図２の外部入力装置４、図２のタッチパッド１２が特許請求の範囲に記載の特定動作検出手段を構成し、図１のＣＰＬＤ５、図３のステップＳ１０１〜Ｓ１０６、図４のステップＳ２０１及びＳ２０２が電力供給再開手段を構成し、図３のステップＳ１０７及びＳ１０８、図４のステップＳ２０４及びＳ２０５が電力供給停止手段を構成し、図１の外部入力装置４が操作部を構成し、図２のタクトスイッチ１３が押下スイッチを構成する。
【００３５】
上記実施形態では、外部入力装置４に触れたこと（外部入力装置４への接触）が検出された場合に、システム部分２への電力の供給を停止する例を示したが、これに限られるものではない。例えば、情報表示装置１に衝撃が与えられたことを検出する衝撃センサを備え、その衝撃センサによって当該衝撃が与えられたことが検出された場合にシステム部分２への電力の供給を停止するようにしてもよい。そのようにすれば、所望の情報を表示させるための指示操作を行うために利用者が情報表示装置１を手に取ったとき（情報表示装置１に衝撃が与えられたとき）に、システム部分２への電力の供給を開始し、前記所望の情報の表示を開始可能な状態にまでシステム部分２を予め復帰させておくことができる。
【００３６】
さらに、例えば、情報表示装置１の周囲に人間が存在することを検出する人感センサを備え、その人感センサによって当該人間の存在が検出された場合にシステム部分２への電力の供給を停止するようにしてもよい。そのようにすれば、所望の情報を表示させるための指示操作を行うために、机の上に載置されていた情報表示装置１を利用者が手に取ろうとしたとき（近づいたとき）に、システム部分２への電力の供給を開始し、前記所望の情報の表示を開始可能な状態にまでシステム部分２を予め復帰させておくことができる。
【図面の簡単な説明】
【００３７】
【図１】本発明の情報表示装置の内部構成を示すブロック図である。
【図２】図１の外部入力装置の外観を示す斜視図である。
【図３】システム部分電力制御処理を示すフローチャートである。
【図４】表示体部分電力制御処理を示すフローチャートである。
【符号の説明】
【００３８】
１は情報表示装置、２はシステム部分、３は表示体部分、４は外部入力装置、５はＣＰＬＤ、６はＣＰＵ、７は内部記憶装置、８は外部記憶装置、９は表示体制御装置、１０はドライバ、１１は記憶性表示体、１２はタッチパッド、１３はタクトスイッチ
【図１】
2006235444.tif 000003
【図２】
2006235444.tif 000004
【図３】
2006235444.tif 000005
【図４】
2006235444.tif 000006